(57)【要約】【課題】内部に形成される幾何学模様の像の変化を一層多様化して、鑑賞者に斬新な印象を与え続けることができると共に、外観を改善して、、装飾物としての価値も向上し、効用を幅広くした万華鏡を提供する。【解決手段】外壁に模様を施した、陶磁器製、木製、七宝製又は漆器製の筒体の先端部に、内側へ鏡板よりなる多角筒を収容し、その内側へ回転により色彩及び模様を表現する粉粒体を収容した回転筒を連設し、筒体の基端面へ覗孔を設けた万華鏡により課題を解決した。【選択図】　　　図１
0003098139.tif 000002
【実用新案登録請求の範囲】
【請求項１】
外壁に模様を施した、陶磁器製、木製、七宝製又は漆器製の筒体の先端部に、内側へ鏡板よりなる多角筒を収容し、その内側へ回転により色彩及び模様を表現する粉粒体を収容した回転筒を連設し、筒体の基端面へ覗孔を設けたことを特徴とする万華鏡。
【請求項２】
陶磁器製又は木製の筒体の外壁に装飾用の模様を表示した筒体の先端部に、内側へ鏡板よりなる多角筒を収容し、その内側へ回転により色彩及び模様を表現する、宝石類及び色彩硝子の中から選ばれた一種又は二種以上の混合物を含有してなる粉流体を収容した回転筒を連設し、筒体の基端面に覗孔を設けたことを特徴とする万華鏡。
【請求項３】
陶磁器製の筒体の外壁に装飾用の模様を表示した筒体の先端部に、内側へ鏡板よりなる三角柱形状、四角柱形状、五角柱形状又は六角柱形状の多角筒を収容し、その内側へ回転により色彩模様を表現する、貴石及び色彩硝子の中から選ばれた二種以上の混合物を含有してなる粉流体を収容した回転筒を連設し、筒体の基端面に覗孔を設けたことを特徴とする万華鏡。
【考案の詳細な説明】
【０００１】
【考案の属する技術分野】
本考案は、内部を見て、斬新な色彩、模様を楽しむことができ、さらに、卓上において装飾物とすることができる万華鏡に関する。
【０００２】
【従来の技術】
万華鏡は、１８１６年にスコットランドのデイビッド・ブリュースターが考案し、以後、多くの改良を経てきた。日本にも、従来より「遊び道具」として種々の万華鏡が存在し、また、斬新な画像（模様）形成のための新たな構成の万華鏡が提供されている。
【０００３】
万華鏡は、基本的に、一端に彩色紙片やガラス片などを収容し、他端がのぞき穴となっており、かつ、中央部に複数の鏡が配置された筒体から構成されている。そして、この筒体を回転させると、筒体の回転により、内部に形成される幾何学模様の像が変化するため、他端ののぞき穴から内部を覗き込んだ鑑賞者を楽しませることができる。
【０００４】
【考案により解決しようとする課題】
前記従来の万華鏡は、他端ののぞき穴から内部を覗くことにより、各種形状、色彩、模様を楽しむことができるが、形状、色彩、模様のバリエーションは差程多くなく、次第に斬新な印象がなくなるという問題点があった。
【０００５】
また、前記従来の万華鏡の外観は、変りばえのしない円筒にすぎなかった。
【０００６】
そこで、本考案は、上記の点に鑑み、内部に形成される幾何学模様の像の変化を一層多様化して、鑑賞者に斬新な印象を与え続けることができると共に、外観を改善して、装飾物としての価値も向上し、効用を幅広くした万華鏡を提供することを目的とするものである。
【０００７】
【課題を解決するための手段】
本考案者は、前記課題を解決すべく、鋭意研究を重ねた結果、前記従来の問題点を解決することができること見い出し、本考案を完成した。
【０００８】
即ち、この考案は、外壁に模様を施した、陶磁器製、木製、七宝製又は漆器製の筒体の先端部に、内側へ鏡板よりなる多角筒を収容し、その内側へ回転により色彩及び模様を表現する粉粒体を収容した回転筒を連設し、筒体の基端面へ覗孔を設けた万華鏡である。
【０００９】
また、他の考案は、陶磁器製又は木製の筒体の外壁に装飾用の模様を表示した筒体の先端部に、内側へ鏡板よりなる多角筒を収容し、その内側へ回転により色彩及び模様を表現する、宝石類及び色彩硝子の中から選ばれた一種又は二種以上の混合物を含有してなる粉流体を収容した回転筒を連設し、筒体の基端面に覗孔を設けた万華鏡である。
【００１０】
さらに、他の考案は、陶磁器製の筒体の外壁に装飾用の模様を表示した筒体の先端部に、内側へ鏡板よりなる三角柱形状、四角柱形状、五角柱形状又は六角柱形状の多角筒を収容し、その内側へ回転により色彩模様を表現する、貴石及び色彩硝子の中から選ばれた二種以上の混合物を含有してなる粉流体を収容した回転筒を連設し、筒体の基端面に覗孔を設けた万華鏡である。
【００１１】
【考案の実施の形態】
以下、本考案の好ましい実施の形態を説明する。
【００１２】
本考案の万華鏡は、外壁に模様を施した、陶磁器製、木製、七宝製又は漆器製の筒体の先端部に、内側へ鏡板よりなる多角筒を収容し、その内側へ回転により色彩及び模様を表現する粉粒体を収容した回転筒を連設し、筒体の基端面へ覗孔を設けたものである。
【００１３】
本考案の万華鏡は、筒体が、陶磁器製、木製、七宝製又は漆器製であり、外壁に装飾絵画や図形等の模様が施されているため、卓上に載置するだけで装飾物となる。
【００１４】
鏡板よりなる多角筒は、特に限定されないが、三角柱形状、四角柱形状、五角柱形状又は六角柱形状であるのが好ましい。
【００１５】
多角筒の内側に収容して色彩及び模様を表現する粉粒体は、内部に形成される幾何学模様の像の変化を一層多様化して、美感を向上させることを目的としているものであり、この目的を達成する粉粒体であれば特に限定されないが、宝石類及び色彩硝子の中から選ばれた一種又は二種以上の混合物を含有してなる粉流体が好ましく、貴石及び色彩硝子の中から選ばれた二種以上の混合物を含有してなる粉流体がさらに好ましい。
【００１６】
なお、ここにいう宝石類には、例えば、ダイヤモンド、エメラルド、ルビー、サファイア、アレキサンドライト、キャッツアイ、ひすい、オパール、真珠、アイオライト、アクアマリン、アマゾナイト、アメシスト、ガーネット、カーネリアン、カルセドニー、くじゃく石、クリソプレーズ、クリソベリル、クンツァイト、こはく、サード、サードオニックス、さんご、シトリン、ジルコン、水晶、スピネル、スモーキークォーツ、ゾイサイト、象牙、タイガーズアイ、タンザナイト、長石、トパーズ、トルコ石、トルマリン、ファイアアゲート、ブラックオニックス、プラッドストーン、べっ甲、へリオドール、ぺリドット、ホークスアイ、めのう、ムーンストーン、モスアゲート、モルガナイト、ラビスラズリ、ラブラドーライト、ルチレイテッドクォーツ、レースアゲート、ローズクォーツ、ロッククリスタルなどを例示することができる。
【００１７】
また、貴石は、美しさとともに希少価値にも優れ、それゆえに高い財産性を備えているとされる高級宝石であり、例えば、ダイヤモンド、エメラルド、ルビー、サファイア、アレキサンドライト、キャッツアイ、ひすい、オパール、真珠などを挙げることができる。
【００１８】
従って、玩具類としての多様性の増加と、装飾物としての価値を付与した点に本考案の特質がある。
【００１９】
【実施例】
（実施例１）
陶磁器製の筒体１１の外壁に絵画１２を表示し基端側に覗孔１３を設けると共に、先端側に、内側へ四枚の鏡板１４で形成した四角柱形状の多角筒１５を収容した回転筒１６を連設し、その四角柱状の多角筒１５内へダイヤモンド粒１７、水晶粒１８、ひすい粒１９及び色彩硝子片２０の混合物を収容し、図１に示す本考案の万華鏡１０を構成した。
【００２０】
なお、多角筒１５は、図１（ｂ）のように、四角柱形状である必要はない。例えば、図２のように、三角柱形状を採用したり、図３のように、五角柱形状を採用したり、図４のように、六角柱形状を採用したりすることができる。
【００２１】
【考案の効果】
本考案の万華鏡は、内部に形成される幾何学模様の像の変化を一層多様化して、美感を向上させ、鑑賞者に斬新な印象を与え続けることができるという効果がある。
【００２２】
また、本考案の万華鏡は、外観を改善したので、装飾物としての価値も向上するなどの効果がある。
【図面の簡単な説明】
【図１】（ａ）本考案の万華鏡の一実施例を示す斜視図。
（ｂ）本考案の万華鏡の一実施例の回転筒の断面図。
【図２】本考案の万華鏡の他の実施例の回転筒の断面図。
【図３】本考案の万華鏡の他の実施例の回転筒の断面図。
【図４】本考案の万華鏡の他の実施例の回転筒の断面図。
【符号の説明】
１０　万華鏡
１１　筒体
１２　絵画
１３　覗孔
１４　鏡板
１５　多角筒
１６　回転筒
１７　ダイヤモンド粒
１８　水晶粒
１９　ひすい粒
２０　色彩硝子片
【図１】
0003098139.tif 000003
【図２】
0003098139.tif 000004
【図３】
0003098139.tif 000005
【図４】
0003098139.tif 000006